(57)【要約】  【課題】エンジンルーム内の熱気を外部へ効率よく排気し、外部からの雨水、泥土等がエンジンルーム内に侵入するのを防ぐとともにエンジンルーム内から外部への音漏れを軽減する。  【解決手段】オフセットしたエンジンフード本体１Ａにおける側面位置とエンジンフード補強梁２位置とにそれぞれ通気孔３Ａ，３Ｂを穿設し、エンジンフード本体１Ａの内側面とエンジンフード補強梁２とで断面が閉構造に形成された空隙部をエンジンルーム４内の熱気を外部に排出する排気路Ｖとして構成した。【選択図】図１
2012096679.tif 000002
【特許請求の範囲】
【請求項１】
エンジンフード本体の内側面と対向するようにエンジンフード補強梁が設けられ、該エンジンフード本体の内側面とエンジンフード補強梁とで断面が閉構造の空隙部が形成された構成を有するエンジンフード部の通気構造であって、
オフセットした前記エンジンフード本体における側面位置と前記エンジンフード補強梁位置とにそれぞれ通気孔を穿設し、前記空隙部をエンジンルーム内の熱気を外部に排出する排気路として構成したことを特徴とするエンジンフード部の通気構造。
【請求項２】
上記エンジンフード本体における側面位置の通気孔部分もしくは上記エンジンフード補強梁の通気孔部分の少なくともいずれかにルーバを取付けたことを特徴とする請求項１記載のエンジンフード部の通気構造。
【発明の詳細な説明】
【技術分野】
【０００１】
本発明は、油圧ショベル等の建設機械におけるエンジンフード部の通気構造に関するものであり、特に、エンジンルーム内の熱気を外部へ効率よく排気するとともに外部からの雨水、泥土等がエンジンルーム内に侵入するのを防ぐことが可能なエンジンフード部の通気構造に関するものである。
【背景技術】
【０００２】
従来、例えば、次のような建設機械の騒音低減装置並びにこの装置に用いるカバー及び排気部が知られている。この従来技術は、エンジンをファンで生起する空気流で冷却し、前記エンジン及びファンをカバー（エンジンフード）で覆った建設機械において、前記カバーの上面に前記ファンの回転軸の軸線に対し角度θをもって流出する空気流を許容しつつ外部に排出する複数の開口を備えた排気部を設け、少ない排気抵抗で前記空気流を外部に排出できるようにしている（例えば、特許文献１参照）。
【０００３】
また、他の従来技術として、例えば、次のような建設機械の冷却構造が知られている。この従来技術は、エンジンで回転されるファンにより外気を吸入してラジエータを冷却し、冷却後の冷却風を機械室上部のエンジンカバー（エンジンフード）より排出する建設機械の冷却構造において、前記エンジンカバーのエンジンの前部上方部分に凹部を形成し、該凹部のファン側の傾斜部に排気口を形成し、前記冷却風の排気効率を高めるようにしている（例えば、特許文献２参照）。
【先行技術文献】
【特許文献】
【０００４】
【特許文献１】特開平１１−２５４９７６号公報
【特許文献２】特開平８−２６８０８８号公報
【発明の概要】
【発明が解決しようとする課題】
【０００５】
特許文献１に記載の従来技術においては、カバー（エンジンフード）の上面にファンの回転軸の軸線に対し角度θをもって流出する空気流を許容しつつ外部に排出する複数の開口を設けている。しかしながら、角度θの複数の開口は、カバー（エンジンフード）の上面に設けているため、逆に、外部からの雨水、泥土等の侵入物が角度θをもってエンジンルーム内に入り込むおそれがある。
【０００６】
また、特許文献２に記載の従来技術においては、エンジンカバー（エンジンフード）におけるエンジンの前部上方部分に凹部を形成し、該凹部の部分に排気口を形成しているため、外部からの雨水、泥土等の侵入物が凹部の部分の排気口から、上記と同様にエンジンルーム内に入り込むおそれがある。
【０００７】
そこで、エンジンルーム内の熱気を外部へ効率よく排気し、外部からの雨水、泥土等がエンジンルーム内に侵入するのを防ぐとともにエンジンルーム内から外部への音漏れを軽減し、エンジンフードに新たなダクト等を設ける必要がなくエンジンルーム内の空間を有効活用することを可能とするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、エンジンフード本体の内側面と対向するようにエンジンフード補強梁が設けられ、該エンジンフード本体の内側面とエンジンフード補強梁とで断面が閉構造の空隙部が形成された構成を有するエンジンフード部の通気構造であって、オフセットした前記エンジンフード本体における側面位置と前記エンジンフード補強梁位置とにそれぞれ通気孔を穿設し、前記空隙部をエンジンルーム内の熱気を外部に排出する排気路として構成したエンジンフード部の通気構造を提供する。
【０００９】
この構成によれば、オフセットしたエンジンフード本体における側面位置とエンジンフード補強梁位置とにそれぞれ通気孔を穿設したことで、エンジンフード本体の内側面とエンジンフード補強梁とで断面が閉構造に形成された空隙部が排気路として機能し、エンジンルーム内の熱気が外部へ効率よく排気される。また、エンジンフード本体の通気孔とエンジンフード補強梁の通気孔とはオフセット位置に穿設されていることで、外部からの雨水、泥土等がエンジンルーム内に侵入するのが防止されるとともにエンジンルーム内から外部への音漏れが軽減される。
【００１０】
請求項２記載の発明は、請求項１記載の発明において、上記エンジンフード本体における側面位置の通気孔部分もしくは上記エンジンフード補強梁の通気孔部分の少なくともいずれかにルーバを取付けたエンジンフード部の通気構造を提供する。
【００１１】
この構成によれば、エンジンフード本体の通気孔部分もしくはエンジンフード補強梁の通気孔部分の少なくともいずれかにルーバを取付けたことで、エンジンルーム内の熱気が、より一層効率よく外部へ排気される。
【発明の効果】
【００１２】
請求項１記載の発明は、エンジンフード本体の内側面とエンジンフード補強梁とで形成された空隙部を排気路として機能させたことでエンジンルーム内の熱気を外部へ効率よく排気することができる。エンジンフード本体の通気孔とエンジンフード補強梁の通気孔とはオフセット配置としたことで外部からの雨水、泥土等がエンジンルーム内に侵入するのを防止することができるとともにエンジンルーム内から外部への音漏れを軽減することができる。また、エンジンフードに新たなダクト等を設ける必要がなくエンジンルーム内の空間を有効活用することができるという利点がある。
【００１３】
請求項２記載の発明は、請求項１記載の発明の効果に加えてさらに、エンジンルーム内の熱気を、より一層効率よく外部へ排気することができるという利点がある。
【図面の簡単な説明】
【００１４】
【図１】本発明の実施例に係るエンジンフード部の通気構造を示すものであり、（ａ）はエンジンフードの平面図、（ｂ）は図（ａ）の側面図、（ｃ）は図（ａ）中のＸ−Ｘ線に沿う部分の拡大断面図。
【図２】図１（ｂ）中のＹ−Ｙ線に沿う部分の拡大断面図。
【発明を実施するための形態】
【００１５】
本発明は、エンジンフード本体とエンジンフード補強梁とにそれぞれ通気孔を設けることでエンジンルーム内の熱気を外部へ効率よく排気し、エンジンフード本体の通気孔とエンジンフード補強梁の通気孔とはオフセット配置にすることで、外部からの雨水、泥土等がエンジンルーム内に侵入するのを防ぐとともにエンジンルーム内から外部への音漏れを軽減し、エンジンフードに新たなダクト等を設ける必要がなくエンジンルーム内の空間を有効活用することを可能とするという目的を達成するために、エンジンフード本体の内側面と対向するようにエンジンフード補強梁が設けられ、該エンジンフード本体の内側面とエンジンフード補強梁とで断面が閉構造の空隙部が形成された構成を有するエンジンフード部の通気構造であって、オフセットした前記エンジンフード本体における側面位置と前記エンジンフード補強梁位置とにそれぞれ通気孔を穿設し、前記空隙部をエンジンルーム内の熱気を外部に排出する排気路として構成することにより実現した。
【実施例１】
【００１６】
以下、本発明の好適な実施例を図１の（ａ）、（ｂ）、（ｃ）及び図２を参照して説明する。まず、本実施例に係るエンジンフード部の通気構造の構成を図１の（ａ）、（ｂ）、（ｃ）及び図２を用いて説明する。図１において、エンジンフード１には、エンジンフード本体１Ａの内側面と対向するようにエンジンフード補強梁２が設けられ、該エンジンフード本体１Ａの内側面とエンジンフード補強梁２とで断面が閉構造の空隙部が形成されている（同図（ｃ））。
【００１７】
前記エンジンフード本体１Ａの側面とエンジンフード補強梁２位置には、該エンジンフード本体１Ａの外部側方から見てオフセットした各位置に、それぞれ方形状の通気孔３Ａ，３Ｂが穿設され（同図（ｂ））、前記閉構造の空隙部がエンジンルーム４内の熱気を外部に排出するための排気路Ｖとして構成されている。図２に示すように、前記各通気孔３Ａ，３Ｂの部分には、それぞれルーバ５ａ，５ｂが取付けられている。また、図２に示されている構成例の排気路Ｖは、端部がエンジンルーム４内に解放されている。
【００１８】
前記通気孔３Ａ，３Ｂは、エンジンフード本体１Ａやエンジンフード補強梁２の形状等に関係なく穿設可能であり、各通気孔３Ａ，３Ｂの大きさ、形状、数量は、これを穿設する部材等に合わせて設定変更が可能である。また、前記排気路Ｖは、エンジンフード本体１Ａにおける前後左右の各内側面部に設けることが可能である。
【００１９】
次に、上述のように構成されたエンジンフード部の通気構造の作用を説明する。オフセットしたエンジンフード本体１Ａにおける側面位置とエンジンフード補強梁２位置とにそれぞれ通気孔３Ａ，３Ｂを穿設したことで、エンジンフード本体１Ａの内側面とエンジンフード補強梁２とで断面が閉構造に形成された空隙部が排気路Ｖとして機能する。
【００２０】
そして、エンジンルーム４内の熱気が、エンジンフード補強梁２の通気孔３Ｂから入り込む流れｅ、排気路Ｖの端部から回り込んで入り込む流れｆ等となって、排気路Ｖ内にそれぞれ流れ込み該排気路Ｖ内の流れｇ，ｉとなって排気路Ｖ内を流れる。この排気路Ｖ内の流れｇが、エンジンフード本体１Ａの通気孔３Ａから外部へ流出する流れｈとなって、エンジンルーム４内の熱気が外部へ効率よく排気される。
【００２１】
このとき、エンジンフード本体１Ａの通気孔３Ａ部分及びエンジンフード補強梁２の通気孔３Ｂ部分には、それぞれルーバ５ａ，５ｂが取付けられていることで、エンジンルーム４内の熱気は、より一層効率よく外部へ排気される。
【００２２】
また、エンジンフード本体１Ａの通気孔３Ａとエンジンフード補強梁２の通気孔３Ｂとはオフセット位置に穿設されていることで、外部からの雨水、泥土等がエンジンルーム４内に侵入するのが防止されるとともにエンジンルーム４内から外部への音漏れが軽減する。
【００２３】
上述したように、本実施例に係るエンジンフード部の通気構造においては、エンジンフード本体１Ａの内側面とエンジンフード補強梁２とで形成された空隙部を排気路Ｖとして機能させたことでエンジンルーム４内の熱気を外部へ効率よく排気することができる。
【００２４】
エンジンフード本体１Ａの通気孔３Ａとエンジンフード補強梁２の通気孔３Ｂとはオフセット配置としたことで外部からの雨水、泥土等がエンジンルーム４内に侵入するのを防止することができるとともにエンジンルーム４内から外部への音漏れを軽減することができる。
【００２５】
エンジンフード本体１Ａの内側面とエンジンフード補強梁２とで断面が閉構造に形成された空隙部を排気路Ｖとして機能させたことで、エンジンフード１に新たな排気ダクト等を設ける必要がなくエンジンルーム４内の空間を有効活用することができる。
【００２６】
エンジンフード本体１Ａの通気孔３Ａ部分及びエンジンフード補強梁２の通気孔３Ｂ部分には、それぞれルーバ５ａ，５ｂを取付けたことで、エンジンルーム４内の熱気を、より一層効率よく外部へ排気することができる。
【００２７】
なお、本発明は、本発明の精神を逸脱しない限り種々の改変をなすことができ、そして、本発明が該改変されたものにも及ぶことは当然である。
【産業上の利用可能性】
【００２８】
エンジンルーム内の熱気を外部へ効率よく排気し、外部からの雨水、泥土等がエンジンルーム内に侵入するのを防ぐとともにエンジンルーム内から外部への音漏れを軽減することが不可欠な油圧ショベル及び道路舗装機械等のエンジンルームを備えた建設機械に広く適用することが可能である。
【符号の説明】
【００２９】
１          エンジンフード
１Ａ        エンジンフード本体
２          エンジンフード補強梁
３Ａ，３Ｂ  通気孔
４          エンジンルーム
５ａ，５ｂ  ルーバ
Ｖ          排気路
【図１】
2012096679.tif 000003
【図２】
2012096679.tif 000004